(57)【要約】【課題】ユーザの興味の度合いが相対的に高いレベルにある放送番組を適切に記録又は再生することを可能とする。【解決手段】放送番組の記録再生システム（１）は、搬送波に保持される放送番組を受信しつつ再生及び記録のうち少なくとも一方を行うことが可能な第１映像再生記録装置（１００）と、第１映像再生記録装置と通信可能であると共に、再生又は記録が行われた放送番組のうち、ユーザの興味の度合いが相対的に高い一の放送番組に関する属性情報（２０）に基づいて、一の放送番組に対して再生及び記録のうち少なくとも一方を行うことが可能な第２映像再生記録装置（３００）と、を備える。【選択図】図９
2008258674.tif 000002
【特許請求の範囲】
【請求項１】
搬送波に保持される放送番組を受信しつつ再生及び記録のうち少なくとも一方を行うことが可能な第１映像再生記録装置と、
前記第１映像再生記録装置と通信可能であると共に、前記再生又は記録が行われた放送番組のうち、前記ユーザの興味の度合いが相対的に高い一の放送番組に関する属性情報に基づいて、前記一の放送番組に対して再生及び記録のうち少なくとも一方を行うことが可能な第２映像再生記録装置と、
を備えることを特徴とする放送番組の記録再生システム。
【請求項２】
前記第１映像再生記録装置と通信可能であると共に、前記一の放送番組を特定し、前記特定された一の放送番組に関する属性情報を送信可能な通信機器を更に備え、
前記第１映像再生記録装置は、第１地点において、前記放送番組を受信しつつ再生及び記録のうち少なくとも一方を行い、
前記第２映像再生記録装置は、前記第１地点、又は前記第１地点と異なる第２地点において、前記通信機器と通信可能であると共に、前記送信された属性情報に基づいて、前記一の放送番組に対して再生及び記録のうち少なくとも一方を行うことを特徴とする放送番組の記録再生システム。
【請求項３】
前記通信機器は、前記ユーザによって携帯可能であることを特徴とする請求項２に記載の放送番組の記録再生システム。
【請求項４】
前記通信機器は、前記ユーザから発生される音声を集音可能な集音手段を備え、
前記通信機器は、前記集音された音声の特徴を示す定量的情報又は定性的情報に基づいて、前記一の放送番組を特定することを特徴とする請求項２又は３に記載の放送番組の記録再生システム。
【請求項５】
前記通信機器は、音声認識（Speech Recognition）に基づいて、前記ユーザを識別可能であることを特徴とする請求項２から４のうちのいずれか一項に記載の放送番組の記録再生システム。
【請求項６】
前記属性情報は、前記第１地点、前記一の放送番組の名前、前記ユーザの興味の度合い、前記一の放送番組が放送された時間、及び、前記一の放送番組が放送されたチャンネルのうち少なくとも一つに関する情報を含むことを特徴とする請求項２から５のうちのいずれか一項に記載の放送番組の記録再生システム。
【請求項７】
前記通信機器は、前記第１地点の位置を特定可能なＧＰＳ（Global Positioning System）手段を備え、
前記通信機器は、前記特定された第１地点の位置に関する位置情報を前記属性情報に含めることを特徴とする請求項２から６のうちのいずれか一項に記載の放送番組の記録再生システム。
【請求項８】
前記第１映像再生記録装置と前記通信機器とは、前記第１地点に対応した第１通信規格によって通信可能であることに加えて又は代えて、
前記第２映像再生記録装置と前記通信機器とは、前記第２地点に対応した第２通信規格によって通信可能であることを特徴とする請求項２から７のうちのいずれか一項に記載の放送番組の記録再生システム。
【請求項９】
前記第２映像再生記録装置は、前記一の放送番組が記録された旨を通知する一の通知情報を表示する表示手段を備え、
前記表示手段は、前記一の通知情報を表示する一の表示手法と、前記属性情報に基づかないで他の放送番組が記録された旨を通知する他の表示手法と、を異ならせることを特徴とする請求項２から８のうちのいずれか一項に記載の放送番組の記録再生システム。
【請求項１０】
前記通信機器は、前記第１地点の位置を特定可能なＧＰＳ（Global Positioning System）手段を備え、
前記通信機器は、前記特定された第１地点に関する付加的な情報である付加情報を前記属性情報に含め、
前記第２映像再生記録装置は、前記一の放送番組が記録された旨を通知する通知情報を表示する表示手段を備え、
前記表示手段は、前記通知情報に加えて又は代えて前記付加情報を表示することを特徴とする請求項２から９のうちのいずれか一項に記載の放送番組の記録再生システム。
【請求項１１】
搬送波に保持される放送番組を受信しつつ再生及び記録のうち少なくとも一方を行うことが可能な第１映像再生記録装置と、
前記第１映像再生記録装置と通信可能である第２映像再生記録装置と、
を備える放送番組の記録再生システムを制御する制御方法であって、
前記再生された放送番組のうち、前記ユーザの興味の度合いが相対的に高い一の放送番組を特定する特定工程と、
前記特定された一の放送番組に関する属性情報に基づいて、前記一の放送番組に対して再生及び記録のうち少なくとも一方を行うように前記第２映像再生記録装置を制御する制御工程と、
を備えることを特徴とする放送番組の記録再生システムの制御方法。
【発明の詳細な説明】
【技術分野】
【０００１】
本発明は、例えばユーザの所望する放送番組を記録又は再生することが可能な放送番組の記録再生システム及び放送番組の記録再生システムの制御方法の技術分野に関する。
【背景技術】
【０００２】
ユーザの嗜好を考慮した自動的に録画するリスト、所謂、録画予約リストを生成する方法として、特許文献１又は特許文献２等において、ユーザの視聴履歴に基づいて生成する方法が開示されている。
【０００３】
また、特許文献３等において、ユーザの嗜好を考慮した自動的に録画する録画予約リストを生成する方法として、予めユーザの設定した嗜好情報に基づいて自動的に録画する方法が開示されている。
【０００４】
【特許文献１】特開２００２−１５２６３９号公報
【特許文献２】特開平１０−２２９５２６号公報
【特許文献３】特開２００６−８０９７４号公報
【発明の開示】
【発明が解決しようとする課題】
【０００５】
一般的に、旅行や出張先や外出先等などに行った際に視聴した放送地域が限定された放送番組、所謂、地域限定番組が、後日、全国的な放送ネットワークを介して放送されたり、或いは、ユーザ自身が居住する居住地域で放送されたりするケースが多くある。
【０００６】
外出先などで視聴した地域限定番組が居住地域で放送された場合、ユーザが視聴した時点からの時間経過が大きく、放送番組の名前を忘れている場合が多い。或いは、ユーザは、地域限定番組の放送番組の名前を知らない場合が多い。このため、居住地域で放送された、以前、視聴した地域限定番組が視聴できなかったり、録画できなかったりしてしまう。
【０００７】
仮に、上述の特許文献１から３等に開示されているように、予め設定されたユーザの嗜好情報に基づいて、放送番組を自動的に録画する手法によれば、旅行や出張先や外出先等などに行った際に視聴した放送地域が限定された地域限定番組が、後日、全国的な放送ネットワークを介して放送されたり、或いは、ユーザ自身が居住する居住地域で放送されたりした場合、自動的に録画されている可能性はある。
【０００８】
しかしながら、上述の特許文献１から３等に開示されている手法では、録画装置は、ユーザの嗜好情報に基づいて、ユーザの所望する放送番組を学習的に特定して自動的に録画する。このため録画の対象となる放送番組の数やデータ量も膨大になってしまうという技術的な問題点が生じる。よって、ユーザは、録画された放送番組の中から手動で取捨選択する必要性が生じてしまうという技術的な問題点がある。更に、手動の取捨選択の対象となる放送番組の数やデータ量が顕著に膨大である場合、ユーザの所望する放送番組が自動的に録画されても、未視聴の状態で誤って削除される場合もあり、折角、録画された所望となる放送番組を視聴する機会を逃す可能性が生じてしまうという技術的な問題点がある。
【０００９】
本発明は、例えば上述した従来の問題点に鑑みなされたものであり、ユーザの興味の度合いが相対的に高いレベルにある放送番組を適切に記録又は再生することが可能な放送番組の記録再生システム及び放送番組の記録再生システムの制御方法を提供することを課題とする。
【課題を解決するための手段】
【００１０】
上記課題を解決するために、請求項１に記載の放送番組の記録再生システムは、搬送波に保持される放送番組を受信しつつ再生及び記録のうち少なくとも一方を行うことが可能な第１映像再生記録装置と、前記第１映像再生記録装置と通信可能であると共に、前記再生又は記録が行われた放送番組のうち、前記ユーザの興味の度合いが相対的に高い一の放送番組に関する属性情報に基づいて、前記一の放送番組に対して再生及び記録のうち少なくとも一方を行うことが可能な第２映像再生記録装置と、を備える。
【００１１】
上記課題を解決するために、請求項１１に記載の放送番組の記録再生システムの制御方法は、搬送波に保持される放送番組を受信しつつ再生及び記録のうち少なくとも一方を行うことが可能な第１映像再生記録装置と、前記第１映像再生記録装置と通信可能である第２映像再生記録装置と、を備える放送番組の記録再生システムを制御する制御方法であって、前記再生された放送番組のうち、前記ユーザの興味の度合いが相対的に高い一の放送番組を特定する特定工程と、前記特定された一の放送番組に関する属性情報に基づいて、前記一の放送番組に対して再生及び記録のうち少なくとも一方を行うように前記第２映像再生記録装置を制御する制御工程と、を備える。
【００１２】
本発明の作用及び他の利得は次に説明する実施の形態から明らかにされよう。
【発明を実施するための最良の形態】
【００１３】
以下、発明を実施するための最良の形態としての本発明の実施形態に係る放送番組の記録再生システム及び方法について順に説明する。
【００１４】
（放送番組の記録再生システムの実施形態）
以下、本発明の実施形態に係る放送番組の記録再生システムについて説明する。
【００１５】
本発明の放送番組の記録再生システムに係る実施形態は、搬送波に保持される放送番組を受信しつつ再生及び記録のうち少なくとも一方を行うことが可能な第１映像再生記録装置（例えばTelevision）と、前記第１映像再生記録装置と通信可能であると共に、前記再生又は記録が行われた放送番組のうち、前記ユーザの興味の度合いが相対的に高い一の放送番組に関する属性情報に基づいて、前記一の放送番組に対して再生及び記録のうち少なくとも一方を行うことが可能な第２映像再生記録装置（例えばＨＤＤレコーダー）と、を備える。
【００１６】
本発明の放送番組の記録再生システムに係る実施形態によれば、例えばＴＶ（Television）等の第１映像再生記録装置によって、搬送波に保持される放送番組が受信されつつ再生される。ここに、本発明に係る放送番組とは、例えばアナログテレビ放送や、デジタルテレビ放送において搬送波に重畳される被変調信号としての映像信号によって論理的に構成される番組の一部又は全部を意味してよい。
【００１７】
次に、例えば、第１映像再生記録装置によって、再生された放送番組のうち、ユーザの興味の度合いが相対的に高い一の放送番組が特定され、この一の放送番組に関する属性情報が送信される。
【００１８】
ここに、本発明に係る「ユーザの興味の度合いが相対的に高い一の放送番組」とは、例えば笑い声の音圧レベルや頻度等のユーザの興味の度合いを示す定量的な情報又は定性的な情報が相対的に高い放送番組を意味する。具体的には、この一の放送番組は、一定の閾値を超えるか否かによって、特定してよい。この一定の閾値は、実験的、理論的、経験的、又はシミュレーション等によって、ユーザの興味の度合いが相対的に高いと客観的に判断される所望の放送番組が特定できるように規定してよい。
【００１９】
次に、例えばＨＤＤレコーダー等の第２映像再生記録装置は、第１映像再生記録装置と通信可能であると共に、この第１映像再生記録装置によって、送信された属性情報に基づいて、一の放送番組が記録されたり再生されたりする。
【００２０】
仮に、一般的に従来行なわれているように、予め設定されたユーザの嗜好情報に基づいて、放送番組を自動的に録画する手法によれば、旅行や出張先や外出先等などに行った際に視聴した放送地域が限定された放送番組（所謂、地域限定番組）が、後日、全国的な放送ネットワークを介して放送されたり、或いは、ユーザ自身が居住する居住地域で放送されたりした場合、自動的に録画されている可能性はある。
【００２１】
しかしながら、従来行なわれている手法では、第２映像再生記録装置は、ユーザの嗜好情報に基づいて、ユーザの所望する放送番組を学習的に特定して自動的に録画する。このため録画の対象となる放送番組の数やデータ量も膨大になってしまう。よって、ユーザは、録画された放送番組の中から手動で取捨選択する必要が生じてしまう。更に、手動の取捨選択の対象となる放送番組の数やデータ量が顕著に膨大である場合、ユーザの所望する放送番組が自動的に録画されても、未視聴の状態で誤って削除される場合もあり、折角、録画された所望となる放送番組を視聴する機会を逃す可能性が生じてしまう。
【００２２】
これに対して、本発明に係る放送番組の記録再生システムによれば、第１映像再生記録装置は、ユーザの興味の度合いが相対的に高いレベルにある一の放送番組を自動的に特定し、この一の放送番組に関する属性情報が第２映像再生記録装置に送信される。従って、自動的に特定された一の放送番組を、第２映像再生記録装置における録画予約リストに、適切に反映させることが可能である。
【００２３】
この結果、ユーザの興味の度合いが相対的に高いレベルにある一の放送番組が放送された場合、第２映像再生記録装置によって、この一の放送番組を、的確且つ適切に記録又は再生することが可能である。
【００２４】
本発明の放送番組の記録再生システムに係る実施形態の一の態様では、前記第１映像再生記録装置と通信可能であると共に、前記一の放送番組を特定し、前記特定された一の放送番組に関する属性情報を送信可能な通信機器を更に備え、前記第１映像再生記録装置は、第１地点（例えば外出先）において、前記放送番組を受信しつつ再生及び記録のうち少なくとも一方を行い、前記第２映像再生記録装置は、前記第１地点、又は前記第１地点と異なる第２地点（例えば自宅）において、前記通信機器と通信可能であると共に、前記送信された属性情報に基づいて、前記一の放送番組に対して再生及び記録のうち少なくとも一方を行う。
【００２５】
この態様によれば、例えばＴＶ（Television）等の第１映像再生記録装置によって、例えば外出先等の第１地点において、搬送波に保持される放送番組が受信されつつ再生される。
【００２６】
次に、例えば携帯電話等の通信機器は、第１映像再生記録装置と通信可能であると共に、この通信機器によって、再生された放送番組のうち、ユーザの興味の度合いが相対的に高い一の放送番組が特定され、この一の放送番組に関する属性情報が送信される。
【００２７】
次に、上述した外出先等の第１地点、又は、例えば自宅等の第１地点と異なる第２地点に設置された、例えばＨＤＤレコーダー等の第２映像再生記録装置は、通信機器と通信可能であると共に、この第２映像再生記録装置によって、送信された属性情報に基づいて、一の放送番組が記録されたり再生されたりする。
【００２８】
仮に、一般的に従来行なわれているように、予め設定されたユーザの嗜好情報に基づいて、放送番組を自動的に録画する手法によれば、旅行や出張先や外出先等などに行った際に視聴した放送地域が限定された放送番組（所謂、地域限定番組）が、後日、全国的な放送ネットワークを介して放送されたり、或いは、ユーザ自身が居住する居住地域で放送されたりした場合、自動的に録画されている可能性はある。
【００２９】
しかしながら、従来行なわれている手法では、第２映像再生記録装置は、ユーザの嗜好情報に基づいて、ユーザの所望する放送番組を学習的に特定して自動的に録画する。このため録画の対象となる放送番組の数やデータ量も膨大になってしまう。よって、ユーザは、録画された放送番組の中から手動で取捨選択する必要が生じてしまう。更に、手動の取捨選択の対象となる放送番組の数やデータ量が顕著に膨大である場合、ユーザの所望する放送番組が自動的に録画されても、未視聴の状態で誤って削除される場合もあり、折角、録画された所望となる放送番組を視聴する機会を逃す可能性が生じてしまう。
【００３０】
これに対して、本発明に係る放送番組の記録再生システムによれば、通信機器は、第１地点で視聴された、ユーザの興味の度合いが相対的に高いレベルにある一の放送番組を自動的に特定し、この一の放送番組に関する属性情報が第２映像再生記録装置に送信される。従って、自動的に特定された一の放送番組を、上述した外出先等の第１地点、又は、例えば自身の居住地域等の第２地点に設置された第２映像再生記録装置における録画予約リストに、適切に反映させることが可能である。
【００３１】
この結果、第２地点で、第１地点で視聴された、ユーザの興味の度合いが相対的に高いレベルにある一の放送番組が放送された場合、第２地点に設置された第２映像再生記録装置によって、この一の放送番組を、的確且つ適切に記録又は再生することが可能である。
【００３２】
或いは、例えば第１地点等の同一の地点で視聴された、ユーザの興味の度合いが相対的に高いレベルにある一の放送番組が放送された場合、第２地点に設置された第２映像再生記録装置によって、この一の放送番組を、的確且つ適切に記録又は再生することが可能である。
【００３３】
本発明の放送番組の記録再生システムに係る実施形態の一の態様では、前記通信機器は、前記ユーザによって携帯可能である。
【００３４】
この態様によれば、通信機器によって、第１地点で視聴された、ユーザの興味の度合いが相対的に高いレベルにある一の放送番組を視聴と同時に特定することが可能である。
【００３５】
本発明の放送番組の記録再生システムに係る実施形態の他の態様では、前記通信機器は、前記ユーザから発生される音声を集音可能な集音手段を備え、前記通信機器は、前記集音された音声の特徴を示す定量的情報又は定性的情報に基づいて、前記一の放送番組を特定する。
【００３６】
この態様によれば、通信機器によって、第１地点で視聴された、ユーザの興味の度合いが相対的に高いレベルにある一の放送番組を高精度に特定することが可能である。
【００３７】
本発明の放送番組の記録再生システムに係る実施形態の他の態様では、前記通信機器は、音声認識（Speech Recognition）に基づいて、前記ユーザを識別可能である。
【００３８】
この態様によれば、例えば統計的音声認識等の音声認識（Speech Recognition）によって、特定のユーザを識別可能である。この結果、通信機器によって、第１地点で視聴された、この特定のユーザの興味の度合いが相対的に高いレベルにある一の放送番組を高精度に特定することが可能である。
【００３９】
本発明の放送番組の記録再生システムに係る実施形態の他の態様では、前記属性情報は、前記第１地点、前記一の放送番組の名前、前記ユーザの興味の度合い、前記一の放送番組が放送された時間、及び、前記一の放送番組が放送されたチャンネルのうち少なくとも一つに関する情報を含む。
【００４０】
この態様によれば、第２映像再生記録装置は、上述した各種の情報を含む属性情報によって、ユーザの興味の度合いが相対的に高いレベルにある一の放送番組を明確に把握し、この一の放送番組を的確且つ迅速に記録又は再生することが可能である。
【００４１】
本発明の放送番組の記録再生システムに係る実施形態の他の態様では、前記通信機器は、前記第１地点の位置を特定可能なＧＰＳ（Global Positioning System）手段を備え、前記通信機器は、前記特定された第１地点の位置に関する位置情報を前記属性情報に含める。
【００４２】
この態様によれば、ＧＰＳ手段を利用して算出した緯度や経度に関する情報や地名や県名等の場所に関する情報を含む属性情報によって、第２映像再生記録装置は、ユーザの興味の度合いが相対的に高いレベルにある一の放送番組を明確に把握し、この一の放送番組を的確且つ迅速に記録又は再生することが可能である。
【００４３】
本発明の放送番組の記録再生システムに係る実施形態の他の態様では、前記第１映像再生記録装置と前記通信機器とは、前記第１地点に対応した第１通信規格によって通信可能であることに加えて又は代えて、前記第２映像再生記録装置と前記通信機器とは、前記第２地点に対応した第２通信規格によって通信可能である。
【００４４】
この態様によれば、第１映像再生記録装置と通信機器との第１通信規格の通信によって、第１地点で視聴された、ユーザの興味の度合いが相対的に高いレベルにある一の放送番組を視聴と同時に特定することが可能である。このことに加えて又は代えて、第２映像再生記録装置と通信機器との第２通信規格の通信によって、第２地点に設置された第２映像再生記録装置におけるユーザに嗜好情報に基づいた録画予約リストに、所定のタイミングで自動的に反映させることが可能である。
【００４５】
本発明の放送番組の記録再生システムに係る実施形態の他の態様では、前記第２映像再生記録装置は、前記一の放送番組が記録された旨を通知する一の通知情報を表示する表示手段を備え、前記表示手段は、前記一の通知情報を表示する一の表示手法と、前記属性情報に基づかないで他の放送番組が記録された旨を通知する他の表示手法と、を異ならせる。
【００４６】
この態様によれば、通常の表示手法である他の表示手法によって録画した放送番組と、一の放送番組を表示する一の表示手法とを異ならせる。このため、一の表示手法として、専用の表示文字や専用の表示アイコンを用いて表示し、ユーザの注目や注意を効果的に喚起させ、ユーザの注目や注意を、この一の放送番組に、効果的に向けることが可能である。
【００４７】
本発明の放送番組の記録再生システムに係る実施形態の他の態様では、前記通信機器は、前記第１地点の位置を特定可能なＧＰＳ（Global Positioning System）手段を備え、前記通信機器は、前記特定された第１地点に関する付加的な情報である付加情報を前記属性情報に含め、前記第２映像再生記録装置は、前記一の放送番組が記録された旨を通知する通知情報を表示する表示手段を備え、前記表示手段は、前記通知情報に加えて又は代えて前記付加情報を表示する。
【００４８】
この態様によれば、第２映像再生記録装置は、ユーザが所望する放送番組を録画した後に、付加情報に起因される多彩な表示手法によってユーザに表示する。具体的には、専用の表示文字や専用の表示アイコンや、付加情報を示したアイコンを用いて表示することによって、ユーザの注目や注意を効果的に喚起させることが可能である。より具体的には、第２映像再生記録装置によってディスプレイ装置等の表示手段に表示されるメニューにおいて、第１地点でユーザに視聴された、ユーザの興味の度合いが相対的に高い一の放送番組を記録した場合、この一の放送番組に対して、第１地点である「札幌市」や「仙台市」を連想させるアイコン等の通知情報を表示させてよい。従って、ユーザの記憶をより鮮明に呼び覚ますことが可能であるので、ユーザの注目や注意を、一の放送番組に、より効果的に向け、視聴の機会をより多くユーザに与えることが可能である。
【００４９】
（放送番組の記録再生システムの制御方法の実施形態）
以下、本発明の実施形態に係る放送番組の記録再生システムの制御方法について説明する。
【００５０】
本発明の放送番組の記録再生システムの制御方法に係る実施形態は、搬送波に保持される放送番組を受信しつつ再生及び記録のうち少なくとも一方を行うことが可能な第１映像再生記録装置（例えばTelevision）と、前記第１映像再生記録装置と通信可能である第２映像再生記録装置（例えばＨＤＤレコーダー）と、を備える放送番組の記録再生システムを制御する制御方法であって、前記再生された放送番組のうち、前記ユーザの興味の度合いが相対的に高い一の放送番組を特定する特定工程と、前記特定された一の放送番組に関する属性情報に基づいて、前記一の放送番組に対して再生及び記録のうち少なくとも一方を行うように前記第２映像再生記録装置を制御する制御工程と、を備える。
【００５１】
本発明の放送番組の記録再生システムの制御方法に係る実施形態によれば、上述した本発明の放送番組の記録再生システムに係る実施形態が有する各種利益を享受することが可能となる。
【００５２】
尚、上述した本発明の放送番組の記録再生システムに係る実施形態が有する各種態様に対応して、本発明の放送番組の記録再生システムの制御方法に係る実施形態も各種態様を採ることが可能である。
【００５３】
本実施形態のこのような作用及び他の利得は次に説明する実施例から明らかにされる。
【００５４】
以上説明したように、本発明の放送番組の記録再生システムに係る実施形態によれば、第１映像再生記録装置と、通信機器と、第２映像再生記録装置と、を備える。また、本発明の放送番組の記録再生システムの制御方法に係る実施形態によれば、第１映像再生記録装置と、通信機器と、第２映像再生記録装置と、特定工程と、制御工程と、を備える。この結果、ユーザの興味の度合いが相対的に高いレベルにある一の放送番組が放送された場合、第２映像再生記録装置によって、この一の放送番組を、的確且つ適切に記録又は再生することが可能である。
【実施例】
【００５５】
以下、本発明の実施例を図面に基づいて説明する。
【００５６】
（放送番組の記録再生システムの実施例）
図１から図４を参照して、本発明に係る放送番組の記録再生システムの実施例について説明する。
【００５７】
（１）  全体構成
先ず、図１を参照して、本実施例に係る放送番組の記録再生システム１の全体的な構成について説明する。ここに、図１は、本実施例に係る放送番組の記録再生システム１の全体的な構成を示したブロック図である。
【００５８】
図１に示されるように、本実施例に係る放送番組の記録再生システム１は、例えば外出先や出張先等の第１地点に配置されたＴＶ（Television）１００と、ユーザに携帯され、外出先又は自宅に配置可能な携帯機器２００と、例えば自宅等の第２地点に配置された、例えばＨＤＤ（Hard Disc Drive）レコーダーやＰＣ（Personal Computer）等の録画装置３００とを備えて構成されている。詳細には、第１地点に配置されたＴＶ１００において、例えば無線ＬＡＮ等の第１の所定通信規格に準拠して他の電子機器と通信可能である。また、第２地点に配置された録画装置３００において、例えば無線ＬＡＮや電子メール等の第２の所定通信規格に準拠して他の電子機器と通信可能である。加えて、携帯機器２００は、第１地点においては、第１の所定通信規格に準拠してＴＶ１００と通信可能であると共に、第２地点においては、第２の所定通信規格に準拠して録画装置３００と通信可能である。特に、本実施例に係る携帯機器２００の一具体例としては、例えば携帯電話やポータブルナビゲーションシステム用の携帯端末などの携帯可能な電子機器を挙げてよい。尚、本発明に係る「第１映像再生記録装置」の一具体例がＴＶ１００によって構成され、本発明に係る「通信機器」の一具体例が携帯機器２００によって構成され、本発明に係る「第２映像再生記録装置」の一具体例が録画装置３００によって構成されている。
【００５９】
（２）  詳細構成  
次に、図２及び図３を参照して、本実施例に係る携帯機器の詳細構成について説明する。ここに、図２は、本実施例に係る携帯機器の詳細構成を示したブロック図である。図３は、本実施例に係る属性情報の一具体例を示したテーブルである。尚、図２は、携帯機器２００が、第１地点において、第１の所定通信規格に準拠してＴＶ１００と通信している状態を、主に示す。
【００６０】
図２に示されるように、本実施例に係る携帯機器２００は、例えばマイク等の集音部２０１と、話者を特定可能な音声認識部２０２と、興味度検出部２０３と、解析部２０４と、通信部２０５と、ネットワーク部２０６と、ＧＰＳ（Global Positioning System）部２０７と、リスト生成部２０８とを備えて構成されている。
【００６１】
特に、携帯機器２００が携帯電話である場合、通話の機能を持つため、普段のユーザの会話から、ユーザの声の特徴に関する特徴量を抽出することが可能である。また、携帯機器２００がポータブルナビゲーションシステム用の携帯端末である場合、音声認識機能を持たせて、ユーザが普段、指示する声から、ユーザの声の特徴に関する特徴量を抽出することが可能である。尚、携帯機器２００において、例えば通話や電源等の携帯電話の機能として一般的に有する部分の説明及び図示については省略する。
【００６２】
携帯機器２００には、マイク２０１が付いており、マイクにより取り込まれた音声は、音声認識部２０２に送られ、笑い声の識別を行なうと同時に、話者の特定を行なう。笑い声が予め設定されたユーザから発された音声であると判断される場合、例えば音圧レベル等の笑い声のレベルや状態に関する定量的な情報又は定性的な情報が、興味度検出部２０３に出力される。
【００６３】
興味度検出部２０３は、笑い声のレベルや頻度や状態に関する定量的な情報又は定性的な情報を監視し、これらの定量的又は定性的な情報が、一定の閾値を超える場合、解析部２０４に笑い声のレベルや状態が、ユーザの興味の度合いが相対的に高いレベルになったことを通知する。
【００６４】
一方、通信部２０５は、ユーザが視聴しているＴＶ１００と通信することにより、現在、選局されているチャンネルで放送されている放送番組に関する番組情報１０を取得し、取得された番組情報１０を解析部２０４へ提供する。この番組情報１０は、例えばＥＰＧ（Electric Program Guide：電子番組ガイド）を介して取得されてよい、或いは、例えばインターネット等のネットワークを経由して、放送局のサーバから取得されてよい。
【００６５】
解析部２０４では、取得された番組情報１０から放送番組のタイトル名に関する情報を抽出し、放送日及び視聴している場所に関する情報を付加することで、ユーザが第１地点で視聴している放送番組に関する属性情報２０を作成する。尚、場所に関する情報としては、ＧＰＳ部２０７を利用して算出した緯度や経度に関する情報を採用してよい。ここで、作成された属性情報２０は、一時的に解析部２０４で保持され、興味度検出部２０３からの通知により、リスト生成部２０８に提供される。
【００６６】
リスト生成部２０８では、解析部２０４によって属性情報２０の内容が更新されると、自宅の録画装置３００に提供するために属性情報２０を加工する。加工された属性情報２０は、通信部２０５に提供され、自動的に自宅の録画装置３００に提供される。
【００６７】
具体的には、図３に示されるように、ユーザが第１地点で視聴している放送番組のうち、ユーザの興味の度合いが相対的に高いレベルにある放送番組に関する属性情報２０は、放送番組のタイトル名、ユーザの興味の度合いのレベル、場所、日付、開始時間、終了時間、及びチャンネルに関する情報を含んでよい。
【００６８】
（３）  動作原理  
次に、図４から図８を参照して、本実施例に係る放送番組の記録再生システム１の動作原理について説明する。ここに、図４は、本実施例に係る放送番組の記録再生システム１における、通信処理の一連の流れを示したフローチャートである。図５は、本実施例に係る携帯機器とＴＶとが通信する状態を図式的に示した概念図である。図６は、本実施例に係る携帯機器と録画装置３００とが通信する一の状態を図式的に示した概念図である。図７は、本実施例に係る携帯機器と録画装置３００とが通信する他の状態を図式的に示した概念図である。図８は、本実施例に係る録画装置３００がユーザに通知するためのメニューを図式的に示した模式図である。
【００６９】
図４に示されるように、本実施例に係る放送番組の記録再生システム１においては、先ず、例えば外出先や出張先等の第１地点に配置されたＴＶ１００と、ユーザに携帯される携帯機器２００とが通信を行なう（ステップＳ１０）。具体的には、図５に示されるように、ユーザに携帯される携帯機器２００は、第１地点において、無線ＬＡＮの通信規格に準拠して、当該無線ＬＡＮの存在を自動的に検知し、ＴＶ１００が接続されているローカルネットワークへ接続し、ＴＶ１００と通信する。
【００７０】
次に、再び図４に示されるように、携帯機器２００は、ユーザの興味の度合いが相対的に高いレベルにある放送番組に関する属性情報２０を作成する（ステップＳ２０）。具体的には、携帯機器２００は、ＴＶ１００とのネットワーク接続が確立すると、上述の図２で説明したように、ＴＶ１００からユーザが視聴しているチャンネルで放送される放送番組の番組情報が送信され、携帯機器２００に一時的に保存される。この保存の動作は、放送番組が変更される度に行って良い。この保存の動作が行われている状態で、ユーザが視聴している状態が監視され、言い換えると、ユーザの笑い声のレベルや頻度や状態に関する定量的な情報又は定性的な情報が監視され、これらの定量的又は定性的な情報が、一定の閾値を超える場合、番組情報１０の保存が行なわれ、タイトル名、例えば県名等の地域名などがリスト化され、属性情報２０が作成される。
【００７１】
次に、再び図４に示されるように、携帯機器２００は、録画装置３００と通信する（ステップＳ３０）。具体的には、図６に示されるように、携帯機器２００が電子メールを送受信可能な通信機能を有する場合、この電子メールの通信機能を利用して、自宅等の第２地点に設置されている録画装置３００に対して、例えばリスト化された属性情報２０が送信される。録画装置３００は、更に、この送信された属性情報２０を、自動的に録画すべき放送番組のリスト、所謂、録画リストに追加する。他方、図７に示されるように、携帯機器２００が電子メールの通信機能を有しない場合、例えば帰宅時点等に、ユーザに携帯される携帯機器２００は、第２地点において、無線ＬＡＮの通信規格に準拠して、当該無線ＬＡＮの存在を自動的に検知し、録画装置３００が接続されているローカルネットワークへ接続し、録画装置３００と通信し、属性情報２０を、録画リストに追加させてよい。
【００７２】
次に、再び図４に示されるように、録画装置３００は、属性情報２０が追加された録画リストに基づいて、ユーザが所望する放送番組を録画する（ステップＳ４０）。具体的には、録画装置３００は、第２地点において将来的に放送される放送番組のうち、属性情報２０に含まれる、例えば放送番組のタイトル名に基づいて、ユーザが所望する放送番組を自動的に録画予約することが可能である。従って、第１地点において、ユーザに視聴された、ユーザの興味の度合いが相対的に高いレベルにある放送番組が、第２地点において放送された場合に、同一の放送番組を確実且つ適切に録画することが可能である。
【００７３】
次に、再び図４に示されるように、録画装置３００は、ユーザが所望する放送番組を録画した後に、ユーザに特別な表示手法によって表示する（ステップＳ５０）。具体的には、通常の手法によって録画した放送番組と異ならせて表示するために、専用の表示文字や専用の表示アイコンを用いて表示することによって、ユーザの注目や注意を効果的に喚起させることが可能である。より具体的には、図８に示されるように、録画装置３００によってディスプレイ装置等の表示手段に表示されるメニュー３０１において、第１地点でユーザに視聴された、ユーザの興味の度合いが相対的に高いレベルにある放送番組である「全国の名産」や「全国の祭り」を録画した場合、これらの放送番組に対して、「旅先」のマークや、専用のアイコン（アイコン１やアイコン２を参照）を表示させてよい。従って、ユーザは通常の手法で録画された放送番組である「オリンピック特集」や「桜便り」等に対応して表示されている「新規ＮＥＷ」マークと区別すること可能であるので、ユーザの注目や注意を、上述の放送番組「全国の名産」や「全国の祭り」に、効果的に向けることが可能である。
【００７４】
（４）  本実施例の作用と効果との検討  
次に、図９を参照して、本実施例に係る放送番組の記録再生システム１における作用と効果とについて検討する。ここに、図９は、本実施例に係る放送番組の記録再生システム１における、各種の処理を概念的に示した模式図である。尚、図９中のステップ番号は、上述した図４におけるステップ番号に対応される。
【００７５】
図９に示されるように、本実施例に係る放送番組の記録再生システム１においては、先ず、例えば外出先や出張先等の第１地点に配置されたＴＶ１００と、ユーザに携帯される携帯機器２００との通信が行なわれる（ステップＳ１０）。
【００７６】
次に、携帯機器２００は、マイク等によって集音されたユーザの笑い声のレベルや頻度や状態の変化に基づいて、ユーザの興味の度合いが相対的に高いレベルにある放送番組を特定する（ステップＳ２０）。具体的には、携帯機器２００は、ＴＶ１００と通信し、ＴＶ１００からユーザが視聴しているチャンネルで放送される放送番組の番組情報が送信され、携帯機器２００に一時的に保存される。
【００７７】
他方、ユーザが視聴している状態が監視され、言い換えると、ユーザの笑い声のレベルや頻度や状態に関する定量的な情報又は定性的な情報が監視され、これらの定量的又は定性的な情報が、一定の閾値を超える場合、番組情報の保存が行なわれ、タイトル名、例えば県名等の地域名などがリスト化され、属性情報２０が作成される。
【００７８】
このようにして、第１地点で視聴された、ユーザの興味の度合いが相対的に高いレベルにある放送番組を自動的に特定することが可能である。
【００７９】
次に、携帯機器２００は、録画装置と通信し、自動的に特定された放送番組を、例えば自身の居住地域等の第２地点に設置された録画装置における録画予約リストに、適切に反映させることが可能である（ステップＳ３０）。
【００８０】
具体的には、携帯機器２００が電子メールを送受信可能な通信機能を有する場合、この電子メールの通信機能を利用して、自宅等の第２地点に設置されている録画装置３００に対して、例えばリスト化された属性情報２０が送信される。録画装置３００は、更に、この送信された属性情報２０を、自動的に録画すべき放送番組のリスト、所謂、録画リストに追加する。従って、第１地点で視聴された、ユーザの興味の度合いが相対的に高いレベルにある放送番組を、第２地点に設置された録画装置におけるユーザに嗜好情報に基づいた録画予約リストに、リアルタイムで自動的に反映させることが可能である。
【００８１】
他方、携帯機器２００が電子メールの通信機能を有しない場合、例えば帰宅時点等に、ユーザに携帯される携帯機器２００は、第２地点において、録画装置３００と通信し、属性情報２０を、録画リストに追加させる。従って、第１地点で視聴された、ユーザの興味の度合いが相対的に高いレベルにある放送番組を、第２地点に設置された録画装置におけるユーザに嗜好情報に基づいた録画予約リストに、所定のタイミングで自動的に反映させることが可能である。
【００８２】
以上の結果、例えば出張先等の第１地点で視聴された、ユーザの興味の度合いが相対的に高いレベルにある放送番組を自動的に特定し、例えば自身の居住地域等の第２地点で、同一の放送番組が放送された場合、第２地点に設置された録画装置によって、この同一の放送番組を、的確且つ適切に録画することが可能である（ステップＳ４０）。
【００８３】
加えて、録画装置３００は、例えばディスプレイ装置等の表示装置を介して、ユーザが所望する放送番組を録画した後に、ユーザに特別な表示手法によって表示する（ステップＳ５０）。具体的には、通常の手法によって録画した放送番組と異ならせて表示するために、専用の表示文字や専用の表示アイコンを用いて表示し、ユーザの注目や注意を効果的に喚起させ、ユーザの注目や注意を、上述した第１地点で視聴された、ユーザの興味の度合いが相対的に高いレベルにある放送番組に、効果的に向けることが可能である。
【００８４】
仮に、一般的に従来行なわれているように、予め設定されたユーザの嗜好情報に基づいて、放送番組を自動的に録画する手法によれば、旅行や出張先や外出先等などに行った際に視聴した放送地域が限定された放送番組（所謂、地域限定番組）が、後日、全国的な放送ネットワークを介して放送されたり、或いは、ユーザ自身が居住する居住地域で放送されたりした場合、自動的に録画されている可能性はある。
【００８５】
しかしながら、従来行なわれている手法では、録画装置は、ユーザの嗜好情報に基づいて、ユーザの所望する放送番組を学習的に特定して自動的に録画する。このため録画の対象となる放送番組の数やデータ量も膨大になってしまう。よって、ユーザは、録画された放送番組の中から手動で取捨選択する必要が生じてしまう。更に、手動の取捨選択の対象となる放送番組の数やデータ量が顕著に膨大である場合、ユーザの所望する放送番組が自動的に録画されても、未視聴の状態で誤って削除される場合もあり、折角、録画された所望となる放送番組を視聴する機会を逃す可能性が生じてしまう。
【００８６】
これに対して、本実施例に係る放送番組の記録再生システム１によれば、第１地点で視聴された、ユーザの興味の度合いが相対的に高いレベルにある放送番組を自動的に特定し、自動的に特定された放送番組を、例えば自身の居住地域等の第２地点に設置された録画装置における録画予約リストに、適切に反映させることが可能である。
【００８７】
この結果、第２地点で、第１地点で視聴された放送番組と同一の放送番組が放送された場合、第２地点に設置された録画装置によって、この同一の放送番組を、的確且つ適切に録画することが可能である。
【００８８】
加えて、本実施例に係る放送番組の記録再生システム１によれば、この同一の放送番組を、ユーザに特別な表示手法によって表示する。具体的には、通常の手法によって録画した放送番組と異ならせて表示するために、専用の表示文字や専用の表示アイコンを用いて表示し、ユーザの注目や注意を効果的に喚起させ、ユーザの注目や注意を、この同一の放送番組に、効果的に向けることが可能である。
【００８９】
（５）  放送番組の記録再生システムの第２実施例  
次に、図１０及び図１１を参照して、第２実施例に係る放送番組の記録再生システムについて説明する。ここに、図１０は、第２実施例に係る録画装置３００がユーザに通知するためのメニューを図式的に示した模式図である。図１１は、第２実施例に係る携帯機器２００が、録画された放送番組の起動をユーザに促すためのメニューを図式的に示した模式図である。尚、第２実施例において、上述した実施例に係る構成要素と概ね同様の構成及び処理には、同様の符号番号を用いて、それらの説明は適宜省略する。
【００９０】
上述した携帯機器２００は、ＧＰＳ（Global Positioning System）機能を搭載してよい。この携帯機器２００は、旅行した際の自らの位置情報の変化と、時間の経過と、位置情報に付加される、例えば宿泊先に関する文字情報や観光スポットに関する画像情報等の付加情報とが総括された電子アルバムを自動的に又はユーザによる操作によって作成する。従って、上述した解析部２０４では、取得された番組情報１０から放送番組のタイトル名に関する情報を抽出し、放送日及び視聴している場所に関する情報、及び、宿泊先に関する文字情報や観光スポットに関する画像情報等の付加情報を付加することで、ユーザが第１地点で視聴している放送番組に関する属性情報２０を作成することができる。
【００９１】
この結果、録画装置３００は、ユーザが所望する放送番組を録画した後に、付加情報に起因される多彩な表示手法によってユーザに表示する。具体的には、専用の表示文字や専用の表示アイコンや、付加情報を示したアイコンを用いて表示することによって、ユーザの注目や注意を効果的に喚起させることが可能である。
【００９２】
より具体的には、図１０に示されるように、録画装置３００によってディスプレイ装置等の表示手段に表示されるメニュー３０１において、第１地点でユーザに視聴された、ユーザの興味の度合いが相対的に高いレベルにある放送番組である「全国の名産」や「全国の祭り」を録画した場合、これらの放送番組に対して、「旅先」のマークや、専用のアイコン（アイコン１やアイコン２を参照）に加えて、旅先の場所である「札幌市」や「仙台市」を表示させてよい。従って、ユーザは通常の手法で録画された放送番組である「オリンピック特集」や「桜便り」等に対応して表示されている「新規ＮＥＷ」マークと明確に区別し、ユーザの記憶をより鮮明に呼び覚ますこと可能であるので、ユーザの注目や注意を、上述の放送番組「全国の名産」や「全国の祭り」に、より効果的に向け、視聴の機会をより多くユーザに与えることが可能である。
【００９３】
或いは、より具体的には、図１１に示されるように、携帯機器２００が作成した電子アルバムを閲覧するための当該携帯機器２００上の表示画面において、録画装置３００に対して、録画された放送番組の再生をユーザに促すための起動アイコン（アイコン１やアイコン２を参照）を表示させてよい。従って、ユーザの記憶をより鮮明に呼び覚まし、放送番組の視聴を促すこと可能であるので、ユーザに、放送番組の視聴の機会をより多く与えることが可能である。
【００９４】
本実施例では、ＴＶ（Television）、携帯機器、及び録画装置を備えた放送番組の記録再生システムについて説明したが、例えば、映像や音声を記録再生する電子機器、例えばルーターやサーバー等の各種のネットワーク通信機器、家電機器、ＨＤＤ（Hard Disc Drive）レコーダーや、デジタルカメラや、カーナビゲーションや、ＴＶの録画に対応したＰＣ（Personal Computer）、携帯電話、又は、ゲーム機器などの複数種類の電子機器を備えた放送番組の記録再生システムに適用することが可能である。
【００９５】
本発明は、上述した実施例に限られるものではなく、請求の範囲及び明細書全体から読み取れる発明の要旨或いは思想に反しない範囲で適宜変更可能であり、そのような変更を伴う放送番組の記録再生システム及び放送番組の記録再生システムの制御方法もまた本発明の技術的範囲に含まれるものである。
【図面の簡単な説明】
【００９６】
【図１】本実施例に係る放送番組の記録再生システム１の全体的な構成を示したブロック図である。
【図２】本実施例に係る携帯機器の詳細構成を示したブロック図である。
【図３】本実施例に係る属性情報の一具体例を示したテーブルである。
【図４】本実施例に係る放送番組の記録再生システム１における、通信処理の一連の流れを示したフローチャートである。
【図５】本実施例に係る携帯機器とＴＶとが通信する状態を図式的に示した概念図である。
【図６】本実施例に係る携帯機器と録画装置３００とが通信する一の状態を図式的に示した概念図である。
【図７】本実施例に係る携帯機器と録画装置３００とが通信する他の状態を図式的に示した概念図である。
【図８】本実施例に係る録画装置３００がユーザに通知するためのメニューを図式的に示した模式図である。
【図９】本実施例に係る放送番組の記録再生システム１における、各種の処理を概念的に示した模式図である。
【図１０】第２実施例に係る録画装置３００がユーザに通知するためのメニューを図式的に示した模式図である。
【図１１】第２実施例に係る携帯機器２００が、録画された放送番組の起動をユーザに促すためのメニューを図式的に示した模式図である。
【符号の説明】
【００９７】
１      放送番組の記録再生システム
１０    番組情報
２０    属性情報
１００  ＴＶ（Television）
２００  携帯機器
２０１  集音部
２０２  音声認識部
２０３  興味度検出部
２０４  解析部
２０５  通信部
２０６  ネットワーク部
２０７  ＧＰＳ（Global Positioning System）部
２０８  リスト生成部
３００  録画装置
【図１】
2008258674.tif 000003
【図２】
2008258674.tif 000004
【図３】
2008258674.tif 000005
【図４】
2008258674.tif 000006
【図５】
2008258674.tif 000007
【図６】
2008258674.tif 000008
【図７】
2008258674.tif 000009
【図８】
2008258674.tif 000010
【図９】
2008258674.tif 000011
【図１０】
2008258674.tif 000012
【図１１】
2008258674.tif 000013